(57)【特許請求の範囲】
【請求項１】
薬剤収納部を有する本体部と、該本体部に嵌合される蓋部とよりなる略々方形の容器であって、前記蓋部をスライド、回動または開閉させることにより、前記薬剤収納部に害虫の侵入を容易とする害虫の侵入口を設け、少なくとも前記方形容器の一辺が内方に凹部となる切欠部を形成し、該切欠部の一部に前記薬剤収納部の侵入口に連通する害虫出入口を設けたことを特徴とする毒餌剤容器。
【請求項２】
前記凹部となる切欠部を方形容器の対向する二辺に設け、これらの切欠部に設けた害虫出入口がいずれも前記薬剤収納部の侵入口に連通することを特徴とする請求項１記載の毒餌剤容器。
【請求項３】
前記対向する二辺に設けた切欠部は、方形容器の中心に対して点対象の位置であることを特徴とする請求項２記載の毒餌剤容器。
【請求項４】
前記薬剤収納部が密閉されているときは、前記切欠部が前記蓋部の他辺によって覆われ、その外形形成が方形をなすべく構成したことを特徴とする請求項１乃至３の何れか１項に記載の毒餌剤容器。
【請求項５】
薬剤収納部を有する本体部と、該本体部の薬剤収納部に嵌合される蓋部とよりなる略々方形の容器であって、該蓋部は前記薬剤収納部の外周に回転自在に取付けられたものであることを特徴とする請求項１乃至３の何れか１項に記載の毒餌剤容器。
【請求項６】
薬剤収納部を有する本体部と、該本体部に嵌合される蓋部とよりなり、該蓋部をスライドさせたる際に蓋部が本体部より離脱することなく係止されるストップ機構を設けたことを特徴とする請求項１乃至３の何れか１項に記載の毒餌剤容器。
【発明の詳細な説明】
【０００１】
【発明の属する技術分野】
本発明は、ゴキブリやその他害虫で家住性害虫の駆除用として用いられる毒餌剤を入れる容器であり、特に固形の毒餌剤を収納し立てても使用できる毒餌剤容器に関するものである。
【０００２】
【従来の技術】
従来から、ゴキブリやその他害虫で家住性害虫の駆除用として種々の方法がある。例えばゴキブリ等の駆除方法としては、殺虫剤を噴霧、塗布する方法や誘引物質を含む捕獲器を使用する方法等の種々の方法が知られている。殺虫剤を噴霧したり所定の箇所に塗布する方法は即効性の点では優れているものの、残効性の点で必ずしも満足できるものではない。一方、捕獲器を使用する方法は、ゴキブリ等の発生、増殖に対して薬剤を使用しない効果的な方法として昭和４８年以来広く使用されている。
【０００３】
最近、例えばホウ酸をゴキブリ等が好む餌に混ぜたものを容器に入れて駆除する方法が使用されてきている。この種の容器としては、例えば実開昭６０−４１１７６号、同６２−１３１７５号公報に開示されたものがある。毒餌剤入り容器については、周知のごとく安全性の観点から誤食防止の機能や適宜強度などが要求される。このような要求から、これまでに種々の新しい食毒剤が開発されたり、またこれを入れる容器の改良がいろいろ提案されているものの、その使用法、駆除評価はまた十分とはいえないのが現状であった。
【０００４】
このような状況において、近年では特開平６−７８６５５号公報に示されるような毒餌剤容器が提案されている。この容器は、底面部から不連続状態で突設した周壁部によって囲まれた毒餌収納凹部を設け、この凹部内に突起を設けた本体と、前記周壁部の上面に平板状の蓋材を設けた構成が採用されている。
【０００５】
【発明が解決しようとする課題】
しかしながら、上記の毒餌剤容器では本体部と蓋部との形状が相違するため、ゴキブリの習性である縦形の方が入り易いという課題を解決することは出来ず、本体部と蓋部とを同一形状にして立てることも考えられるが、通常は毒餌剤容器の外周面に侵入口を備えているため、立てることにより侵入口が塞がれてしまうという問題がある。
また、毒餌剤容器をセットするに当り、薬剤収納部に毒餌剤を入れるに際しては毒餌剤に手が触れるという危険性がある等の問題もある。
【０００６】
本発明は、上記事情に鑑みてなされたもので、その目的とするところは、家具裏側や家具間等の狭い隙間に配置することを可能とするため、立てて使用することができると共に毒餌剤容器の蓋部をスライド、回動または開閉するだけで、ゴキブリ等の出入口が薬剤収納部に連通するように構成した毒餌剤容器を提供しようとするものである。
【０００７】
【課題を解決するための手段】
上記目的を達成するため、本発明の毒餌剤容器は、薬剤収納部を有する本体部と、該本体部に嵌合される蓋部とよりなる略々方形の容器であって、前記蓋部をスライド、回動または開閉させることにより、前記薬剤収納部に害虫の侵入を容易とする害虫の侵入口を設け、少なくとも前記方形容器の一辺が内方に凹部となる切欠部を形成し、該切欠部の一部に前記薬剤収納部の侵入口に連通せる害虫出入口を設けたことを特徴とするものである。
【０００８】
また、前記凹部となる切欠部を方形容器の対向する面側にも設け、これらの切欠部に設けた害虫出入口がいずれも薬剤収納部の侵入口に連通するようにしたことを特徴とするものである。
更に、薬剤収納部の侵入口が閉鎖されているときは、前記切欠部が蓋部の他辺（切欠部のない辺）によって覆われ、その外形形状が方形を保つように構成したことも特長の一つである。
【０００９】
上記のように構成された本発明の毒餌剤容器によれば、本体部と蓋部とが同一形状の方形容器で構成されているので、狭い隙間内にも立て易く且つ安定して立設される。
また、蓋部をスライド、回動または開閉させることにより、本体部に設けた薬剤収納部への侵入口が開放されると共に、切欠部を設けてその一部に害虫の出入口を設け、且つこの出入口と前記侵入口とが連通されているので、害虫の餌付けがよく毒餌剤を有効に使用することができる。
【００１０】
【発明の実施の形態】
以下、本発明の実施の形態をスライド式毒餌剤容器、回動式毒餌剤容器及び開閉式毒餌剤容器とに分けて、それぞれ添付図面を参照して説明する。
【００１１】
スライド式毒餌剤容器は、通常流通時には上部となる蓋部と、下部となる本体部とによって構成され、毒餌剤が密閉状態に収納されている。このスライド式毒餌剤容器の蓋部を上方にスライドさせることにより、ゴキブリ等の進入路を開口させるものである。
このスライド式毒餌剤容器１Ａは、図１乃至図３に示すように、略方形の容器であって、本体部２は合成樹脂の成型品で基盤４の相対する面には略三角形状の切欠部５が設けてあり、基盤４の平面形状はＺ字形に形成されている。この基盤４の外周には基盤に対して直角方向に折曲形成された外周板６が設けられている。
【００１２】
上記した方形の基盤４の中央には、図２に示すように左右方向より円弧状の障壁７Ｌ、７Ｒで囲まれた薬剤収容部８が設けてある。また、この薬剤収容部８を囲む前後方向にも円弧状の障壁７が設けてあり、薬剤収容部８の外周は４つの障壁で囲まれ、各障壁間にはゴキブリ等の侵入口１１が４か所設けられた構造に形成してある。
これら侵入口１１はそれぞれ最も近い方形の基盤４の各頂点位置と接続され、前記外周板６に設けられたゴキブリ等の出入口１２と通路１３によって連通されている。
【００１３】
前記薬剤収納部８内には、毒餌剤９が収納されて、その上方からは毒餌剤９を固定するための保持部材１０が前記円弧状の障壁７に係止されている。保持部材１０は梁状の部材で中央部が下方に突出した形状で、その両端部には前記障壁７面の内側に嵌合する凸部１０ａを有し、この凸部１０ａの外周面にはフック１０ｂを有している。フック１０ｂが前記障壁７に設けた嵌合溝１４に嵌合することにより、毒餌剤９は薬剤収納部８内の基盤４上に固定される。
また、本体部２Ａの図２に示した左右側の外周板６の外側には、後述する蓋部３を係止する凸部１５と、蓋部３のスライドを規制するストッパ１６とが設けてある。前記凸部１５は下方にあって上面は蒲鉾状を成し、ストッパ１６は凸部１５の上方に設けてあり、所定間隔を於いて２つ設けてある。これも上面は曲面を成しているが下側面は平面状に形成してある。
【００１４】
一方、蓋部３は本体部２と同様な合成樹脂の成型品であって、上面は本体部２と同一形状の基盤４を有し、基盤４の下側面には前記本体部２に設けた薬剤収納部８を囲む障壁７の外周面に嵌合される円筒形の収納蓋部１８が設けられている。収納蓋部１８の外周で前記本体部２の通路１３に相当する位置には、各通路１３内に挿入嵌合される突出部材１７がそれぞれ設けてあり、蓋部３を本体部２に被せることにより、前記収納蓋部１８は薬剤収納部８を囲む障壁外周に、各突出部材１７は本体部２の各通路１３内に被着される。なお、前記突出部材１７の裏側は基盤４の上面より見て肉抜きされており、前記通路１３内への挿入を容易ならしめている。
また、前記本体部２に設けた凸部１５とストッパ１６とに相当する蓋部３には、中抜状に形成された枠部材１９が設けてあり、蓋部３を本体部２に押し込んだとき、前記枠部材１９の先端片２０が凸部１５に係止され、蓋部３が容易に本体部２より離脱しないようにストップ機構となっている。そして、使用時に、蓋部３を本体部２より引き上げたとき前記先端片２０はストッパ１６に係止され、蓋部３は本体部２より浮き上がった状態で係止される。
【００１５】
以上説明したように、スライド式毒餌剤容器１Ａは、蓋部３を本体部２の上方へスライドさせることにより、図１に示したように本体部３に設けたゴキブリ等の出入口１２は４カ所全てが開放口となり、かつ通路１３内の突出部材１７は上方に上げられ薬剤収納部８への侵入口１１も開放口となってゴキブリ等の進入を容易にする。
【００１６】
回動式毒餌剤容器は、２つの部品の一方を他方に対して９０°回動させることにより、ゴキブリ等の進入路が開口されるもので、これには以下に示す２つの手段がある。１つは、蓋部を回動させるもので、他は中蓋部を回動させるものである。
蓋部回動式毒餌剤容器１Ｂは、図４に示すように、筐体状の本体部２Ｂと板状の蓋部３Ｂ（図では鎖線により表示）とにより構成されている略方形の容器である。
本体部２Ｂは合成樹脂の成型品で、基盤４は相対する側面に三角形状の切欠部５を有し、その平面形状はＺ字形に形成されている。基盤４の外周には基盤に対して直角方向に立設された外周板６が設けてある。
このような基盤４の中央には、図４の上下方向より円弧状の障壁７で囲まれた薬剤収納部８が設けてある。この薬剤収納部８には固形の毒餌剤９が挿入され、前記円弧状の障壁７の中間に突設された保持部材１０Ｂとにより保持されるようになっている。そして、これらの保持部材１０Ｂの両側はゴキブリ等の侵入口１１となっている。
これらの侵入口１１は、前記切欠部５の外周板６の一部を切り欠いたゴキブリ等の出入口１２へと通路１３を介して接続されている。
【００１７】
上述した本体部２Ｂに対して蓋部３Ｂは、図５の上方に示すように前記本体部２Ｂの基盤４と同一形状の蓋板２１を有し、蓋板２１の裏面側に突設された円弧状の２つの障壁２２を設けた構成になっている。前記障壁２２は本体部２Ｂの障壁７の外周に接触し、外周面を案内として摺動するように形成されている。
蓋部３Ｂを本体部２Ｂの形状に合わせて被せると、図６に示すように、前記障壁２２は本体部２Ｂの薬剤収納部を囲む障壁７の外周に嵌合し、本体部２Ｂに対して蓋部３Ｂは薬剤収納部８の障壁７に沿って回動自在に取り付けられている。
【００１８】
上述した蓋部回動式毒餌剤容器１Ｂは、本体部２Ｂの薬剤収納部８内に毒餌９を挿入し、毒餌剤９を保持部材１０Ｂ間に挟んで保持させておき蓋部３Ｂの切欠部５と、本体部２Ｂの切欠部５とを合わせて被せることにより、図６に示したように、切欠部５に設けたゴキブリ等の出入口１２は通路１３を介して侵入口１１より毒餌剤９に開通される。
蓋部回動式毒餌剤容器１Ｂの蓋部３Ｂを１／４回転させることにより、図４に示したように、蓋部３Ｂの切欠部５が本体部２Ｂの切欠部５のない位置に達すると、前記蓋部３Ｂに設けた障壁２２が本体部２Ｂの障壁７に設けた侵入口を閉鎖し、ゴキブリ等の出入口１２との通路１３は遮断される。
この状態で、本体部２Ｂの切欠部５は蓋部３Ｂの蓋板２１に覆われ、蓋部回動式毒餌剤容器１Ｂは、方形の容器となって包装上有利な形態とすることができる。
【００１９】
中蓋部回動式毒餌剤容器１Ｃは、図７乃至図１０に示すように、２つのＺ字状基盤４と、その間に挿入され基盤４と一体的に固定された仕切板２３とにより形成された本体部２Ｃを有し、本体部２Ｃに回動自在に取り付けられる中蓋部３Ｃとにより構成されている。
本体部２Ｃは合成樹脂製の成型品で、Ｚ字状に形成された基盤４の中央に、図８に示すような薬剤収納部８を設け、その周囲を図の左右方向より円弧状の仕切板２３で囲ってある。この円弧状の仕切板２３の上下には中心線ＰＬに対して直角方向に設けられた案内用仕切板２４が設けたある。この案内用仕切板２４には中央で段差を以て右側と左側とに分けられている。この案内用仕切板２４と前記仕切板２４とによって囲まれた部分が通路１３で、この通路１３の外方がゴキブリ等の出入口１２となり、通路１３の奥側が侵入口１１となるように形成してある。これらの通路１３は図８の手前側から被着された基板４によって筐体状に形成されている。
なお、手前側から被着された基板４には、前記薬剤収納部８に相当する位置に中蓋部３Ｃを着脱自在に取り付け、かつ中蓋部３Ｃを回動自在に保持するための丸孔２６（図７参照）が設けてある。
【００２０】
中蓋部３Ｃは、図９に示すように、前記丸孔２６の径より僅かに大きな円形の蓋板２１Ｃと、この蓋板２１Ｃの下面側に設けられた丸孔２６の内周を外周とする円弧状の外周板６Ｃより構成されている。この外周板６Ｃは本体部２Ｃの仕切板２３の内周面に案内されて回転されるもので、前記仕切板２３と案内仕切板２４とで形成された侵入口１１の２つ分を覆うに十分な長さを有する円弧状の部材であって、蓋板２１Ｃとは一体的に成型されている。
この中蓋部３Ｃの上面には、蓋板２１Ｃを回動させるときのつまみ２７が設けてある。なお、この中蓋部３Ｃの外周板６Ｃの直径方向には毒餌剤９が挟まれた固定され、前記中蓋部３Ｃの外周板６Ｃを本体部２Ｃの丸孔２６内に挿入して回動させることにより、前記つまみ２７を中心線方向に向けることにより、図１０に示すように薬剤収納部８の侵入口１１は開放され、この位置より１／４回転した図７に示した位置では侵入口１１が閉鎖される。
【００２１】
開閉式毒餌剤容器１Ｄは、本体部２Ｄと蓋部３Ｄとをヒンジを介して一体的に形成した容器である。図１１に示すように、本体部２ＤはＺ字形の基盤４の中央に円形で囲まれた薬剤収納部８を設け、毒餌剤９を保持するための円弧状の保持部材１０Ｄが４カ所に設けてある。これら保持部材１０Ｄ間には侵入口１１となる開放口が設けてあり、侵入口１１の外側には外周板６となる仕切りにより通路１３が四方に設けてある。これらの各通路の基盤４の外周となお接触位置にはゴキブリ等の出入口１２が開放口として設けてある。
この本体部２Ｄの上方位置には、後述する蓋部３Ｄを係止する係止部２８が設けてあり、その反対側の面で外周板６の頂面にはヒンジ２９を介して、蓋部３Ｄが一体的に設けてある。この蓋部３Ｄは本体部２Ｄと同一形状の平板部材であって、前記係止部２８と対応する位置にはフック部３０が設けてある。
【００２２】
上記した構成の開閉式毒餌剤容器１Ｄは、予めキャップ内に保護された毒餌剤をキャップ毎、薬剤収納部８に置き、蓋部３Ｄの裏側に設けたテープの接着面の保護紙を剥がし、蓋部３Ｄを本体２Ｄに被せて再度開くと、前記テープ面に毒餌剤のキャップが貼着されるので、そのキャップを除去することにより各侵入口１１が開放されて、蓋部３Ｄをヒンジ２９を介して閉じ本体部２Ｄの係止部２８に係止させることにより使用状態となる。
【００２３】
毒餌剤９の処方あるいは組成は特に限定するものではなく、この毒餌剤９として用いる殺虫剤自体は任意であるが、参考として現在用いられている殺虫剤について簡単に説明すれば、殺虫剤としては、例えばホウ酸、ホウ酸塩、アミジノヒドラゾン系殺虫剤をはじめ、有機リン系、カーバメート系、ピレスロイド系、ピラゾール系、昆虫幼若ホルモン剤、坑幼若ホルモン剤、脱皮ホルモン剤などの殺虫剤などがあげられ、これらのなかから一種または２種以上を混合して用いられる。
【００２４】
前記ホウ酸塩の具体例としては、例えば四ホウ酸ナトリウム（ホウ砂）、メタホウ酸ナトリウム、過ホウ酸ナトリウム、ホウ酸アンモニウム、ホウ酸カリウム、ホウ酸マグネシウムなどがあげられ、また前記アミジノヒドラゾン系殺虫剤の具体例としては、例えばテトラヒドロ−５、５−ジメチル−２（ＩＨ）−ピリミジノイン｛３−〔４−（トリフルオロメチル）フェニル〕−１−｛２−〔４−（トリフルオロメチル）フェニル〕エテニル｝−２−プロペニリデン｝ヒドラゾンなどがあげられる。又上記以外の殺虫剤としてはフェニトロチオン、トリクロルホン、ピリダフェンチオン、ダイアジノン、フェンチオンなどの有機リン系殺虫剤；セビン、プロポクサーなどのカルバメート系殺虫剤；レスメトリン、ｄ−Ｔ８０−レスメトリン、フェノトリン、ペルメトリン、フタルスリルン、ｄ−Ｔ８０−フタルスリン、シフェノトリン、シペルメトリン、フェンバレレート、エトフェンプロックス、プラレスリン、フェンフルスリンなどのピレスロイド系殺虫剤；オキサジアゾール系殺虫剤のメトキサジアゾン；フィピロニルなどのピラゾール系；メトプレン、ハイドロプレン、ピリプロキシフェンなどの昆虫幼若ホルモン剤；プレコセンなどの坑幼若ホルモン剤；エクダイソンなどの脱皮ホルモン剤などがあげられる。
【００２５】
前記殺虫剤の配合量は、得られる組成物の所望される効力、殺虫剤の種類、対象とする昆虫の種類などに応じて適宜に選択すればよいが、ホウ酸およびホウ酸塩の場合は３〜７０％、なかんづく５〜５０％、その他の殺虫剤の場合は０．０１〜１０％、なかんづく０．１〜５％とするのがよい。
前記ホウ酸またはホウ酸塩の配合量は３％未満である場合、殺虫効果が充分に発揮されない傾向があり、また７０％をこえる場合、摂餌物質の添加量が少なくなり摂食性が低下する傾向がある。また前記その他の殺虫剤は０．０５％未満である場合、殺虫効果が充分に発揮されない傾向があり、また１０％をこえると使用する殺虫剤の種類によっては摂食忌避性が強くなる傾向があるものがある。
【００２６】
前記以外の成分として、例えば摂餌物質、誘引性成分、酸化防止剤、防腐剤、誤食防止剤、着色剤などが用いられる。
前記摂餌物質としては、例えば小麦粉、米粉、米糖、とうもろこし粉などの穀粉；ポテトスターチ、コーンスターチなどのスターチ類；グラニュー糖、麦芽糖、アラビノース、ガラクトース、ラクトース、フルクトース、ソルビトール、マルトース、カラメル、廃糖蜜、蜂蜜などの糖類および糖蜜類やグリセリンなどがあげられる。
前記誘引性成分としては、例えばカプリル酸、カプロン酸、カプリン酸、ラウリル酸、オレイン酸などの有機酸；オクチルアルコール、ドデシルアルコール、オレインアルコールなどの高級アルコール類；オニオンフレーバー、ミルクフレーバー、バターフレーバー、ストロベリーフレーバー、コーヒーフレーバーなどの食品用フレーバーなどがあげられる。
【００２７】
前記酸化防止剤としては、例えば２、６−ジ−ターシャリ−ブチル−４−メチルフェノール、２、２−メチレンビス（４−メチル−６−ｔ−ブチル）フェノールなどの酸化防止剤があげられる。
【００２８】
前記防腐剤としては、例えばソルビン酸、ソルビン酸塩、パラオキシ安息香酸エステル類などがあげられる。
前記誤食防止用としては、例えばトウガラシ粉、トウガラシエッセンス、安息香酸デナトリウムなどがあげられる。
前記着色剤としては、例えば赤色２号、赤色３号、赤色１０２号、赤色２０１号、黄色４号、黄色５号、青色１号、青色２号、カーボンブラックなどがあげられる。
前記以外の成分の配合量は、殺虫剤の配合量によって異なるので一概には決定
することはできないが、通常組成物において殺虫剤の残部とされる。
【００２９】
上述した毒餌剤９を楕円形状の板状にして固型化し、図１、図４、図６にそれぞれ示した薬剤収納部８内に押着し、蓋部を回動またはスライドさせることにより、薬剤収納部８に設けた害虫の侵入口１１は開放され、害虫の出入口１２と連通されていることから食いつきは良くなる。
また、上記した毒餌剤容器１、１Ａ、１Ｂの何れもが例えば硬度の合成樹脂の容器とすることにより、外力による歪み等の変形は阻止され、且つ狭い所でも設置することができる。もちろん、容器の材質は保形性が得られるかぎり、合板（ベニタ板）、木板、金属、パルプ、紙、ダンボール等、何ら制限を受けるものではない。
【００３０】
【発明の効果】
以上詳細に説明したように、本発明の毒餌剤容器は、本体部と蓋部との外周を同一形状の方形容器としたので、本体部と蓋部との側縁となる幅板材を底部として起立させることができる。また、蓋部をスライド、回動もしくは開閉させることにより、薬剤収容部の侵入口を開放させ、且つ容器の害虫出入口に侵入口を連通させるようにしたので害虫の食い付きがよい等の特長を有する。
【図面の簡単な説明】
【図１】本発明の実施の第１形態を示す毒餌剤容器の分解斜視図である。
【図２】図１の毒餌剤容器を分解した本体部の外観斜視図である。
【図３】図１の毒餌剤容器の蓋部の外観斜視図である。
【図４】本発明の実施の第２形態を示す毒餌剤容器の平面図である。
【図５】図４の毒餌剤容器の分解斜視図である。
【図６】図４の毒餌剤容器の使用状態を示す平面図である。
【図７】本発明の実施の第３形態を示す毒餌剤容器の平面図である。
【図８】図７の毒餌剤容器の本体部を示す平面図である。
【図９】図７の毒餌剤容器の蓋部を示す平面図である。
【図１０】図７の毒餌剤容器の使用状態を示す平面図である。
【図１１】本発明の実施の第４形態を示す毒餌剤容器の平面図である。
【符号の説明】
１    毒餌剤容器
２    本体部
３    蓋部
５    切欠部
８    薬剤収納部
１１  侵入口
１２  出入口
【図１】
0003635593.tif 000002
【図２】
0003635593.tif 000003
【図３】
0003635593.tif 000004
【図４】
0003635593.tif 000005
【図５】
0003635593.tif 000006
【図６】
0003635593.tif 000007
【図７】
0003635593.tif 000008
【図８】
0003635593.tif 000009
【図９】
0003635593.tif 000010
【図１０】
0003635593.tif 000011
【図１１】
0003635593.tif 000012